(57)【要約】【課題】複数の画面に画像を表示し、これら複数の画面に、ニュースのテロップなどの文字情報を、任意の態様で表示する。【解決手段】本発明にかかる画像表示装置においては、画像Ａ〜Ｄと、ニュースなどの文字列＃１〜＃４とが、一緒に複数のディスプレイ２６の画面に表示される。例えば、画像・文字を表示するためのスケジュールに従って、（Ａ）に示すように、複数のディスプレイ２６それぞれに、異なる画像と文字列とが表示され、（Ｂ）〜（Ｄ）に示すように、１つの画像が複数に分割されて表示されるとともに、１つの文字列が複数の画面に渡って表示される。【選択図】　　　　　図１
2004117472.tif 000002
【特許請求の範囲】
【請求項１】
それぞれ第１の画像と第２の画像とを画面に表示する複数の画像表示手段と、前記複数の画像表示手段それぞれに対して、前記複数の画像表示手段それぞれに表示される第１の画像を供給する第１の画像供給手段と、
前記複数の画像表示手段それぞれに対して、前記複数の画像表示手段それぞれに表示される第２の画像それぞれを示す第２の画像供給手段と
を有する画像表示装置。
【請求項２】
前記第２の画像はテキストを示し、
前記第２の画像供給手段は、前記複数の画像表示装置の内の２つ以上の画面の所定の位置に、前記第２の画像が示すテキストが、１つながりのテキストとしてスクロール表示されるように、前記複数の画像表示装置の内の２つ以上それぞれに対して、前記第２の画像それぞれを供給する
請求項１に記載の画像表示装置。
【発明の詳細な説明】
【０００１】
【発明の属する技術分野】
本発明は、異なる種類の画像を、複数の画面それぞれの中に一緒に表示する画像表示装置に関する。
【０００２】
【従来の技術】
例えば、特開平８−１０７５５２号公報（文献１）は、同じ画面に画像と文字とを表示する装置を開示する。
また、例えば、特開平９−１０６４２３号公報（文献２）は、１つの画面を分割して情報を表示する装置を開示する。
また、例えば、特開２００１−１７５６０９号公報および特開２０００−１８１４２１号公報（文献３，４）は、複数の画面を用いて画像や文字を表示する装置を開示する。
また、例えば、特開２００１−２２７７４号公報および特開２００１−３４３８４号公報（文献５，６）は、同じ画面に画像と文字とを表示する方法を開示する。
【０００３】
以上例示したように、単一の画面を分割して画像を表示したり、複数の画面を用いて画像を表示したり、画像を表示する画面に、ニュースのテロップなどの文字を表示したりする装置が、従来から数多く考え出されてきた。
しかしながら、複数の画面に画像を表示し、これら複数の画面に、ニュースのテロップなどの文字情報を、任意の態様で表示することができる装置は、これまで、考え出されていない。
【０００４】
【発明が解決しようとする課題】
本発明は、上述した背景からなされたものであり、複数の画面に画像を表示し、これら複数の画面に、ニュースのテロップなどの文字情報を、任意の態様で表示することができる画像表示装置を提供することを目的とする。
【０００５】
【課題を解決するための手段】
【０００６】
上記目的を達成するために、本発明にかかる画像表示装置は、それぞれ第１の画像と第２の画像とを画面に表示する複数の画像表示手段と、前記複数の画像表示手段それぞれに対して、前記複数の画像表示手段それぞれに表示される第１の画像を供給する第１の画像供給手段と、前記複数の画像表示手段それぞれに対して、前記複数の画像表示手段それぞれに表示される第２の画像それぞれを示す第２の画像供給手段とを有する。
【０００７】
好適には、前記第２の画像はテキストを示し、前記第２の画像供給手段は、前記複数の画像表示装置の内の２つ以上の画面の所定の位置に、前記第２の画像が示すテキストが、１つながりのテキストとしてスクロール表示されるように、前記複数の画像表示装置の内の２つ以上それぞれに対して、前記第２の画像それぞれを供給する。
【０００８】
【発明の実施の形態】
［本発明の概要］
まず、本発明の概要を説明する。
図１（Ａ）〜（Ｄ）は、複数のディスプレイ２６−１〜２６−ｎの画面に対して画像および文字を表示する方法を例示する図である。
なお、図１（Ａ）〜（Ｄ）においては、図示の具体化・明確化のために、ｎ＝４の場合が例示され、構成部分を示す符号は、適宜、省略されている。
また、画面内における文字列の表示位置は任意であるが、図１（Ａ）〜（Ｄ）においては、文字列が、画面の下部に横方向に表示される場合が例示されている。
【０００９】
図１（Ａ）は、４個の画面それぞれに画像Ａ〜Ｄおよび文字列＃１〜＃４が表示される場合を例示する。
また、図１（Ｂ）は、２つのディスプレイ２６−１，２６−２の画面に画像Ａが１／２ずつと文字列＃１とが表示され、他の２つのディスプレイ２６−３，２６−４の画面に画像Ｂが１／２ずつと、文字列＃２が表示される場合を例示する。
【００１０】
また、図１（Ｃ）は、２つのディスプレイ２６−１，２６−２（２６−３，２６−４）の画面に画像Ａ（Ｃ）が１／２ずつと文字列＃１（＃３）とが表示され、他の２つのディスプレイ２６−３，２６−４（２６−１，２６−２）それぞれの画面に画像Ｂ，Ｃ（Ａ，Ｂ）と文字列＃２，＃３（＃１，＃２）が表示される場合を例示する。
また、図１（Ｄ）は、ディスプレイ２６−１〜２６−４に、画像Ａが１／４ずつと文字列＃１とが表示される場合を例示する。
なお、以下、「ディスプレイ２６−１〜２６−４」などのように、複数ある構成部分を、いずれか特定せずに示す場合には、単に「ディスプレイ２６」などとも記す。
【００１１】
テレビ番組あるいは株式市況など、動画、静止画、絵および文字などを含む画像Ａ〜Ｄと、ニュースのテロップなどのテキスト（文字列＃１〜＃４）とを、一緒に、複数のディスプレイ２６（図２を参照して後述）の画面に表示するためには、図１（Ａ）〜（Ｄ）に示したように、様々な態様がある。
例えば、画像・文字を表示するためのスケジュールに従って、図１（Ａ）に示したように、複数のディスプレイ２６それぞれに、異なる画像と文字列とが表示される場合と、図１（Ｂ）〜（Ｄ）に示したように、１つの画像が複数に分割されて表示されるとともに、１つの文字列が複数の画面に渡って表示される場合とがある。
図１（Ｂ）〜（Ｄ）に示したように、画像とは独立に、複数の画面にまたがって１つの文字列を表示できるようにすると、観者が、一度に多くの文字を読み取ることができるなどの効果が得られるので、文字情報を表示する上で、非常に効果的である。
【００１２】
また、図１（Ｂ）〜（Ｄ）に示したように、１つの画像を構成する複数の部分を、それぞれ異なるディスプレイ２６に表示するためには、複数のディスプレイ２６の間で、画像の部分それぞれを表示するタイミングを同期させる必要がある。
図１（Ａ）〜（Ｄ）に示した４つのディスプレイ２６それぞれに、専用のコンピュータを用いて画像および文字を表示すると、画面間の同期が取りにくくなる上に、コスト高になる。
本発明にかかる画像表示装置は、複数の画面に１つのコンピュータが画像および文字を表示するようにして、複数の画面間の同期を取りやすくして、複数の画面に渡る画像および文字の表示に適するように、しかも、コストの低減を可能とするように工夫されている。
【００１３】
なお、図１（Ｃ）の左側に例示した場合において、例えば、文字列＃１が「Ａ〜ＢＣ〜Ｄ」の文字を含む場合には、文字列＃１の前半分「Ａ〜Ｂ」が上段左側のディスプレイ２６（２６−１）の画面に表示され、後ろ半分「Ｂ〜Ｃ」が上段右側のディスプレイ２６（２６−２）の画面に表示される。
このように、複数の画面に渡って１つの文字列を表示することを、以下、「通し表示」とも記す。
また、図１（Ａ）〜（Ｄ）に示した画像Ａ〜Ｄには、それぞれ音声が付され、ディスプレイ２６に備えられたスピーカ（図示せず）から出力されることがあるが、説明の簡略化・明確化のために、以下、ディスプレイ２６による画像および文字の表示についてのみ説明する。
【００１４】
［ハードウェア構成］
図２は、本発明にかかる画像表示装置１のハードウェア構成を例示する図である。
図３は、図２に示した画像表示装置１が接続されるネットワークシステム４の構成を例示する図である。
図２に示すように、画像表示装置１は、画像表示装置本体１０、サーバ４２（図３）との間の通信を行う通信装置１２、ＨＤＤ・ＣＤ装置などの記録装置１４、ＬＣＤ表示装置・キーボード・マウスなどを含むユーザインターフェース装置（ＵＩ装置）１６および表示部１８から構成される。
画像表示装置本体１０は、ＣＰＵ１０２、文字データの処理など、画像表示装置１における処理一般に用いられるメモリ１０４、画像データの記憶およびその処理に用いられる画像メモリ１０６、および、外部からの画像データおよび文字で他を受け入れる入出力ポート（Ｉ／Ｏポート）１０８などから構成される。
【００１５】
表示部１８は、ｎ個のディスプレイＩＦ（ディスプレイインターフェース；Ｄ−ＩＦ）２２−１〜２２−ｎを含み、ディスプレイＩＦ２２−１〜２２−ｎそれぞれには、ＣＲＴディスプレイ・プラズマディスプレイ・ＬＣＤディスプレイなどのディスプレイ２６−１〜２６−ｎそれぞれが接続される。
つまり、画像表示装置１は、ネットワークシステム４２との、ＴＣＰ／ＩＰなど一般的な通信プロトコルによる通信、画像処理および複数の画面への画像および文字の表示に適した一般的なコンピュータとしての構成を採る。
なお、以下、説明の具体化・明確化のために、特記なき限り、図１（Ａ）〜（Ｄ）においてと同様に、ｎ＝４の場合を具体例とする。
【００１６】
図４は、図２に示したディスプレイＩＦ２２−ｉ（１≦ｉ≦ｎ（ｎ＝４））の構成を示す図である。
図５は、図４に示したディスプレイＩＦ２２に供給される画像データを例示する図である。
図６は、図４に示したディスプレイＩＦ２２に供給される文字データを例示する図である。
【００１７】
図４に示すように、ディスプレイＩＦ２２−ｉは、画像処理部２２０−ｉ、画像表示部２２２−ｉおよび画像ＲＡＭ２４−ｉから構成される。
図４に示すように、画像表示装置本体１０（図２）からディスプレイＩＦ２２に対しては、ディスプレイ２６の画面に表示される画像を示す画像データ（図５）および文字データ（図６）が供給される。
【００１８】
図５に示す画像データは、図７などを参照して後述するように、表示プログラム３により作成され、ディスプレイ２６それぞれの画面に、図１（Ａ）〜（Ｄ）を参照して説明したように表示される画像を示す。
図５に示すように、画像データには、画像ＩＤデータ、文字表示の有無を示すデータ（文字の有無）、文字ＩＤおよび表示時間が、画像表示制御データとして付加される。
【００１９】
画像ＩＤデータは、画像データの識別に用いられる。
文字表示の有無を示すデータは、画像データと共に文字の表示を行うか否かを示す。
文字ＩＤデータは、画像データと一緒に表示される文字データの識別子（文字ＩＤ；図６）を示す。
表示時間データは、画像データを表示するスケジュール、表示の態様およびディスプレイ２６の起動時間・停止時間などを示す。
【００２０】
また、図６に示す文字データは、画像データと同様に表示プログラム３（図７を参照して後述）により作成され、ディスプレイ２６それぞれの画面に、図１（Ａ）〜（Ｄ）を参照して説明したように表示される文字列を示す。
図６に示すように、文字データには、文字ＩＤデータ、通し表示データ、位置指定データ、スクロールデータおよび表示時間データが、文字表示制御データとして付加される。
【００２１】
文字ＩＤデータは、文字データの識別に用いられる。
通し表示データは、文字列を、ディスプレイ２６−１〜２６−４のいずれの２つ以上に通し表示するかを示す。
位置データは、ディスプレイ２６の画面において、文字列を表示する位置を指定する。
スクロールデータは、スクロール表示を行うか否かを示す。
表示時間データは、文字データを表示するスケジュールを示す。
【００２２】
なお、図５，図６に示した画像表示制御データおよび文字表示制御データに含まれる各データは、画像表示装置１の用途・仕様などに応じた取捨選択が可能である。
また、画像データの形式は、ＪＰＥＧ，ＭＰＥＧ，ＧＩＦ，ＨＴＭＬなど、形式を問わない。
【００２３】
画像処理部２２０−ｉ（図４）は、画像表示制御データおよび文字表示制御データ（図５，図６）に従って、画像データおよび文字データを処理し、図１（Ａ）〜（Ｄ）を参照して説明したように、ディスプレイ２６−ｉに表示する画像および文字を示す文字・画像データを生成し、画像表示部２２２−ｉに対して出力する。
【００２４】
画像表示部２２２−ｉは、画像処理部２２０−ｉから入力される文字・画像データを画像ＲＡＭ２４−ｉに記憶する。
また、画像表示部２２２−ｉは、画像表示部２２２−ｉ自身が有するクロックが示す時刻、あるいは、表示プログラム３のクロック部３２２（図７）が示す時刻に従って動作し、表示時間データが示すスケジュールに従って、画像ＲＡＭ２４−ｉに記憶した文字・画像データを、ディスプレイ２６−ｉに対して順次、出力し、表示させる。
【００２５】
また、画像表示部２２２−ｉは、表示時間データが、ディスプレイ２６−ｉの起動時間および停止時間を規定している場合には、表示時間データに従って、ディスプレイ２６−ｉの起動および停止を制御する。
なお、画像処理部２２０−ｉおよび画像表示部２２２は、ソフトウェア的に構成されるか、ハードウェア的に構成されるかは問われず、例えば、ＤＳＰ上で動作するファームウェアの処理として実現されてもよい。
【００２６】
［ソフトウェア構成］
図７は、図２に示した画像表示装置本体１０により実行され、本発明にかかる画像表示を実現する表示プログラム３の構成を示す図である。
図７に示すように、表示プログラム３は、ユーザインターフェース部（ＵＩ部）３０、通信制御部３２０、クロック部３２２、画像データ処理部３４および文字データ処理部３６から構成される。
【００２７】
画像データ処理部３４は、画像データ受入部３４０、画像データ編集部３４２、画像データ記憶部３４４および画像データ分配部３４６から構成される。
文字データ処理部３６は、文字データ受入部３６０、文字データ編集部３６２、文字データ記憶部３６４および文字データ分配部３６６から構成される。
表示プログラム３は、記録媒体１４０を介して画像表示装置１に供給され、メモリ１０４にロードされて実行される。
【００２８】
表示プログラム３は、これらの構成部分により、ユーザの操作を受けて、ネットワークシステム４などから入力される画像データおよび文字データを編集処理し、ディスプレイ２６−１〜２６−ｎそれぞれの画面に、図１（Ａ）〜（Ｄ）に例示したように表示される画像および文字をそれぞれ示す画像データおよび文字データ（図５，図６）を作成する。
【００２９】
図８は、図７に示した表示プログラム３のＵＩ部３０がＵＩ装置１６（図２）のディスプレイに表示するＵＩ画像４４を例示する図である。
表示プログラム３において、ＵＩ部３０は、画像表示装置１のＵＩ装置１６（図２）のディスプレイに、例えば、図８に示すようなユーザインターフェース（ＵＩ）画像を表示し、このＵＩ画像４４に対するユーザの操作を受け入れる。
また、ＵＩ部３０は、ユーザの操作に応じて、表示プログラム３の各構成部分の処理に必要なデータを生成し、表示プログラム３の各構成部分に対して出力する。
さらに、ＵＩ部３０は、ユーザの操作に応じて、表示プログラム３の各構成部分の処理を制御する。
【００３０】
図８に示したＵＩ画像４４をさらに説明する。
ＵＩ画像４４は、例えば、画像表示装置１（図２）を、銀行や証券会社の支店ごとに設置し、支店ごとに、ディスプレイ２６−１〜２６−４（２６−ｎ）の画面（図１（Ａ）〜（Ｄ）など）に表示する画像および文字を設定するために用いられる。
ＵＩ画像４４の左側上部にある「支店名」のボックスは、画像表示装置１が用いられる支店を指定するために用いられ、「支店名」の下の「ＩＰアドレス」のボックスは、画像表示装置１のＩＰアドレスを設定するために用いられる。
「ＩＰアドレス」の下の「ラジオボタン」が付された４つのボックスは、このＵＩ画像４４により画像および文字が設定される画像表示装置１のディスプレイ２６を指定するために用いられる。
図８に示した例においては、このＵＩ画像４４が、ディスプレイ２６−１に表示される画像および文字の指定を行うために用いられていることを示す。
【００３１】
また、ＵＩ画像４４の右側上部の「スケジュール情報」のボックスは、ディスプレイ２６−１について、画像および文字を表示するスケジュールを設定するために用いられる。
図８に示したＵＩ画像４４においては、画像表示装置１が設置される支店が住宅街にあるか、オフィス街にあるか、インストアブランチであるかに応じて、予め、画像および文字を表示するスケジュールが作成されており、これらは左側のボックスに表示されている。
【００３２】
管理者が、これらのいずれかを選択して、画像および文字の表示スケジュールをディスプレイ２６−１に設定すると、設定結果が右側のボックス内に表示される（図８に示した例においては「オフィス街」用のスケジュールが選択されている）。
このように設定されるスケジュール情報は、例えば、画像それぞれの表示開始時刻および表示終了時刻を指定し、あるいは、繰り返し表示などの表示態様を指定する表示時間データ（図５，図６）として、音声データおよび文字データの表示時間データに付加される。
【００３３】
また、「スケジュール情報」の下の「表示部動作情報」のボックスは、ディスプレイ２６−１について、電源制御（ディスプレイの電源ＯＮ／ＯＦＦ）を設定するために用いられる。
図８に示したＵＩ画像４４においては、画像表示装置１が設置される支店が平日だけ稼働する（平日稼働店舗）か、平日も休日も稼働する（休日稼働店舗）かに応じて、予め、週間のディスプレイの動作スケジュールが作成されており、これらは左側のボックスに表示されている。
管理者が、これらのいずれかを選択して、動作スケジュールをディスプレイ２６−１に設定すると、設定結果が右側のボックス内に表示される（図８に示した例においては「平日稼働店舗」用のスケジュールが選択されている）。
このように設定される表示部動作情報は、例えば、画像データや文字データとは別の制御データ（図５，図６）として、音声データおよび文字データの表示時間データに付加される。
【００３４】
また、「表示部動作情報」の下の「割り込み配信情報」のボックスは、ディスプレイ２６−１について、緊急表示したい画像および文字を表示するスケジュールを設定するために用いられる。
図８に示したＵＩ画像４４においては、予め、画像および文字を表示するスケジュールが作成されており、実際には、これらは左側のボックスに表示される。
管理者が、これらのいずれかを選択して、緊急表示したい画像および文字を表示するスケジュールをディスプレイ２６−１に設定すると、設定結果が右側のボックス内に表示される。
このように設定される割り込み配信情報は、例えば、上述した制御データ（図５，図６）として、音声データおよび文字データの表示時間データに付加される。
【００３５】
通信制御部３２０（図７）は、画像表示装置１の通信装置１２（図２）を制御して、サーバ４２（図３）から画像データおよび文字データの配信を受け、配信された画像データおよび文字データをそれぞれ、画像データ受入部３４０おおよび文字データ処理部３６０それぞれに対して出力する。
【００３６】
クロック部３２２は、表示プログラム３の各構成部分に対して、それぞれにおける処理に必要な時刻を示す。
【００３７】
画像データ処理部３４において、画像データ受入部３４０は、通信制御部３２０から入力される画像データ、記録装置１４（図２）に記録された画像データ、および、Ｉ／Ｏポート１０８を介して外部から入力される画像データを受け入れ、画像データ編集部３４２に対して提供する。
なお、画像データ受入部３４０は、必要に応じて、受け入れた画像データを、画像メモリ１０６に記憶し、あるいは、記録装置１４に記憶させる。
【００３８】
画像データ編集部３４２は、画像データ受入部３４０が提供する画像データに識別子（画像ＩＤ；図５）を付す。
また、図８に例示したＵＩ画像４４に対して行われ、ＵＩ部３０が受け入れたユーザの操作に従って、画像データ編集部３４２は、提供される画像データに対して編集処理を行う。
つまり、画像データ編集部３４２は、画像データ受入部３４０から提供され、編集の対象となっている画像データに対して、図２などに示したディスプレイ２６−１〜２６−４（２６−ｎ）のいずれの画面に表示するか、同じ画面内に文字列（図１（Ａ）〜（Ｄ））を表示するか否か、文字列を表示する場合には、いずれの文字データが示す文字列を表示するか、どのようなスケジュールで表示するかなどを設定し、これらの事項を示す画像データの画像表示制御データ（図５）を生成する。
【００３９】
また、画像データ編集部３４２は、図１（Ｂ）〜（Ｄ）に例示したように、画像データが複数のディスプレイ２６に渡って表示される場合には、ディスプレイ２６の位置に応じて画像データ＃ｉを分割するなど、画像データを複数のディスプレイ２６に渡って表示するために必要な処理を行う。
さらに、画像データ編集部３４２は、画像表示制御データを、画像データの本体に付加し、画像データ記憶部３４４に対して出力する。
なお、画像データ編集部３４２と文字データ処理部３６２とは、相互に、それぞれにおける編集処理に必要なデータ（文字ＩＤなど；図５，図６）の参照および提供を行う。
【００４０】
画像データ記憶部３４４は、画像メモリ１０６（必要に応じて記録装置１４；図２）に、画像データ編集部３４２が、ディスプレイ２６−１〜２６−４（２６−ｎ）それぞれについて生成した画像データ（画像データ＃１〜＃４（＃ｎ））を記憶し、管理する。
画像データ記憶部３４４は、クロック部３２２が示す時刻を参照し、画像データ＃１〜＃４それぞれの画像表示制御データ（図５）に含まれる表示時間データが示す表示時刻が近づいた場合に、表示時刻が近づいた画像データ＃ｉを、画像データ分配部３４６に対して出力する。
なお、画像データ記憶部３４４は、表示時間データが、画像データ＃ｉの表示の態様として、繰り返し表示（エンドレス表示）を指定する場合には、そのように指定された画像データ＃ｉを、繰り返して画像データ分配部３４６に対して出力する。
【００４１】
画像データ分配部３４６は、画像データ記憶部３４４から入力される画像データ＃１〜＃４それぞれを、図２に示したディスプレイＩＦ２２−１〜２２−４（２２−ｎ）の画像処理部２２０−ｉ（図４）に対して出力する。
【００４２】
文字データ処理部３６において、文字データ受入部３６０は、通信制御部３２０から入力される文字データ、記録装置１４（図２）に記録された文字データ、および、Ｉ／Ｏポート１０８を介して外部から入力される文字データを受け入れ、文字データ編集部３６２に対して提供する。
なお、文字データ処理部３６は、必要に応じて、受け入れた文字データを記録装置１４に記憶させる。
【００４３】
文字データ編集部３６２は、文字データ受入部３６０が提供する文字データに識別子（文字ＩＤ；図６）を付す。
さらに、図８に例示したＵＩ画像４４に対して行われ、ＵＩ部３０が受け入れたユーザの操作に従って、文字データ編集部３６２は、提供される文字データに対して編集処理を行う。
つまり、文字データ編集部３６２は、文字データ受入部３６０から提供され、編集の対象となっている文字データに対して、図２に示したディスプレイ２６−１〜２６−４（２６−ｎ）のいずれの画面に表示するか、画面のいずれの位置に表示するか、スクロール表示を行うか否か、どのようなスケジュールで表示するかなどを設定し、これらの事項を示す文字データの文字表示制御データ（図６）を生成する。
さらに、文字データ編集部３６２は、文字表示制御データを、文字データの本体に付加し、文字データ記憶部３６４に対して出力する。
【００４４】
文字データ記憶部３６４は、メモリ１０４（必要に応じて記録装置１４；図２）に、文字データ編集部３６２が、ディスプレイ２６−１〜２６−４（２６−ｎ）それぞれについて生成した文字データ（文字データ＃１〜＃４（＃ｎ））を記憶し、管理する。
文字データ記憶部３６４は、クロック部３２２が示す時刻を参照し、文字データ＃１〜＃４それぞれの文字表示制御データ（図６）に含まれる表示時間データが示す表示時刻が近づいた場合に、表示時刻が近づいた文字データ＃ｉを、文字データ分配部３６６に対して出力する。
なお、文字データ記憶部３６４は、表示時間データが、文字データ＃ｉの表示の態様として、繰り返し表示（エンドレス表示）を指定する場合には、そのように指定された文字データ＃ｉを、繰り返して文字データ分配部３６６に対して出力する。
【００４５】
文字データ分配部３６６は、文字データ記憶部３６４から入力される文字データ＃１〜＃４それぞれを、図２に示したディスプレイＩＦ２２−１〜２２−４（２２−ｎ）の文字処理部２２０−ｉ（図４）に対して出力する。
【００４６】
［全体動作］
以下、画像表示装置１（図２など）の全体的な動作を説明する。
図９は、画像表示装置１の全体的な動作（Ｓ１０）を示すフローチャートである。
図９に示すように、ステップ１００（Ｓ１００）において、表示プログラム３（図７）は、ユーザの操作に従って、サーバ４２（図３）などから受けた画像データおよび文字データを編集処理し、ディスプレイ２６−１〜２６−４（２６−ｎ）それぞれに表示する画像データ＃１〜＃ｎ（ｎ＝４）および文字データ＃１〜＃ｎ（図５〜図７）を作成し、ディスプレイＩＦ２２−１〜２２−４それぞれに対して出力する。
ディスプレイＩＦ２２−１〜２２−４において、画像処理部２２０−１〜２２０−４は、画像データ＃１〜＃４を、画像表示部２２２−１〜２２２−４に対して出力する。
【００４７】
ステップ１０２（Ｓ１０２）において、ディスプレイＩＦ２２−ｉ（１≦ｉ≦ｎ（＝４））の画像処理部２２０−ｉ（図４）は、画像データ＃ｉの画像表示制御データ（図５）の文字の有無を示すデータ（文字の有無）を参照し、ディスプレイ２６−ｉに、画像データ＃ｉとともに、文字データ＃ｉが表示されるか否かを判断する。
ディスプレイＩＦ２２−ｉは、文字データ＃ｉが表示される場合にはＳ１０４の処理に進み、これ以外の場合にはＳ１３０の処理に進む。
【００４８】
ステップ１０４（Ｓ１０４）において、画像処理部２２０−ｉは、文字表示制御データ（図６）の通し表示データを参照し、文字データ＃ｉが複数のディスプレイ２６の画面に渡って、通し表示されるか否かを判断する。
ディスプレイＩＦ２２−ｉは、文字データ＃ｉが通し表示される場合にはＳ１１０の処理に進み、これ以外の場合にはＳ１２０の処理に進む。
【００４９】
ステップ１１０（Ｓ１１０）において、画像処理部２２０−ｉは、文字データ＃ｉ（図６）のスクロールデータを参照し、文字データ＃ｉがスクロール表示されるか否かを判断する。
文字データ＃ｉがスクロール表示される場合には、ディスプレイＩＦ２２−ｉはＳ１１２の処理に進み、これ以外の場合にはＳ１１４の処理に進む。
【００５０】
ステップ１１２（Ｓ１１２）において、画像処理部２２０−ｉは、通し表示データにより指定される２つ以上のディスプレイ２６におけるディスプレイ２６−ｉの位置に応じて、文字データ本体が示す文字列から、ディスプレイ２６−ｉに表示すべき文字列を切り出す。
さらに、画像処理部２２０−ｉは、文字表示制御データの位置指定データ（図６）により、表示位置が指定されている場合には、ディスプレイ２６−ｉの画面の中の位置指定データが示す位置に、切り出した文字列を通し表示しつつ、スクロールするための文字列画像データを生成し、画像表示部２２２−ｉに対して出力する。
また、画像処理部２２０−ｉは、位置指定データにより表示位置が指定されていない場合には、ディスプレイ２６−ｉの画面の中の文字表示のためにデフォルトで決められている位置に、文字データ本体が示す文字を通し表示しつつ、スクロールするための文字列画像データを生成し、画像表示部２２２−ｉに対して出力する。
【００５１】
ステップ１１４（Ｓ１１４）において、画像処理部２２０−ｉは、Ｓ１１２の処理においてと同様に、文字データ本体が示す文字列から、ディスプレイ２６−ｉに表示すべき文字列を切り出す。
さらに、画像処理部２２０−ｉは、文字表示制御データの位置指定データ（図６）により、表示位置が指定されている場合には、ディスプレイ２６−ｉの画面の中の位置指定データが示す位置に、切り出した文字列を通し表示するための文字列画像データを生成し、画像表示部２２２−ｉに対して出力する。
また、ディスプレイＩＦ２２−ｉは、位置指定データにより表示位置が指定されていない場合には、文字表示のためにデフォルトで決められている位置に、文字データ本体が示す文字を通し表示するための文字列画像データを生成し、画像表示部２２２−ｉに対して出力する。
【００５２】
ステップ１２０（Ｓ１２０）において、画像処理部２２０−ｉは、文字データ＃ｉ（図６）のスクロールデータを参照し、文字データ＃ｉがスクロール表示されるか否かを判断する。
文字データ＃ｉがスクロール表示される場合には、ディスプレイＩＦ２２−ｉはＳ１２２の処理に進み、これ以外の場合にはＳ１２４の処理に進む。
【００５３】
ステップ１２２（Ｓ１２２）において、画像処理部２２０−ｉは、位置指定データ（図６）により、表示位置が指定されている場合には、ディスプレイ２６−ｉの画面中で、位置指定データが示す位置に、文字データ本体が示す文字列をスクロール表示するための文字列画像データを生成し、画像表示部２２２−ｉに対して出力する。
また、ディスプレイＩＦ２２−ｉは、位置指定データにより表示位置が指定されていない場合には、文字表示のためにデフォルトで決められている位置に、文字データ本体が示す文字をスクロール表示するための文字列画像データを生成し、画像表示部２２２−ｉに対して出力する。
【００５４】
ステップ１２４（Ｓ１２２）において、画像処理部２２０−ｉは、位置指定データ（図６）により、表示位置が指定されている場合には、ディスプレイ２６−ｉの画面中で、位置指定データが示す位置に、文字データ本体が示す文字列を表示するための文字列画像データを生成し、画像表示部２２２−ｉに対して出力する。
また、ディスプレイＩＦ２２−ｉは、位置指定データにより表示位置が指定されていない場合には、文字表示のためにデフォルトで決められている位置に、文字データ本体が示す文字を表示するための文字列画像データを生成し、画像表示部２２２−ｉに対して出力する。
【００５５】
図１０は、画像ＲＡＭ２４−ｉ（図４）の記憶領域を示す図であって、（Ａ）は、画像データと文字列画像データが記憶される場合の記憶領域を示し、（Ｂ）は、画像データのみが記憶される場合の記憶領域を示す。
以上の処理により、Ｓ１０２の処理において、文字列の表示を行うと判断された場合には、図１０（Ａ）に示すように、画像ＲＡＭ２４−ｉの画像領域には、表示プログラム３から入力された画像データ＃ｉが記憶され、文字領域には、Ｓ１１２，Ｓ１１４，Ｓ１２２，Ｓ１２４の処理において生成された文字列データが記憶される。
これに対し、Ｓ１０２の処理において、文字列の表示を行わないと判断された場合には、図１０（Ｂ）に示すように、画像ＲＡＭ２４−ｉの全領域が画像領域として用いられ、画像ＲＡＭ２４−ｉには、表示プログラム３から入力された画像データ＃ｉのみが記憶される。
【００５６】
ステップ１３０（Ｓ１３０）において、画像表示部２２２−ｉは、画像データ（図５）の表示時間データと、現在の時刻とを比較し、その時点が、画像データおよび文字列画像データを表示する時間帯に含まれているか否かを判断する。
画像表示部２２２−ｉは、その時点が表示時間帯に含まれている場合にはＳ１３２の処理に進み、これ以外の場合にはＳ１３０の処理に留まる。
【００５７】
ステップ１３２（Ｓ１３２）において、画像表示部２２２−ｉは、画像ＲＡＭ２４−ｉに、文字列画像データが記憶されているか否かを判断する。
ディスプレイＩＦ２２−ｉは、画像ＲＡＭ２４−ｉに文字列画像データが記憶されている場合にはＳ１３４の処理に進み、これ以外の場合にはＳ１３６の処理に進む。
【００５８】
ステップ１３４（Ｓ１３４）において、画像表示部２２２−ｉは、画像ＲＡＭ２４−ｉに記憶された画像データと文字列画像データ（図１０（Ａ））を合成してディスプレイ２６−ｉに対して出力し、表示させる。
【００５９】
ステップ１３６（Ｓ１３６）において、画像表示部２２２−ｉは、画像ＲＡＭ２４−ｉに記憶された画像データ（図１０（Ｂ））のみをディスプレイ２６−ｉに対して出力し、表示させる。
【００６０】
［まとめ］
なお、本明細書は、以下の発明を開示する。
（１）それぞれ第１の画像と第２の画像とを画面に表示する複数の画像表示手段と、前記複数の画像表示手段それぞれに対して、前記複数の画像表示手段それぞれに表示される第１の画像を供給する第１の画像供給手段と、前記複数の画像表示手段それぞれに対して、前記複数の画像表示手段それぞれに表示される第２の画像それぞれを示す第２の画像供給手段とを有する。
【００６１】
（２）前記第１の画像は、動画像および静止画像またはこれらのいずれかを示す（１）に記載の画像表示装置。
【００６２】
（３）前記第２の画像はテキストを示し、前記第２の画像供給手段は、前記複数の画像表示装置の内の２つ以上の画面の所定の位置に、前記第２の画像が示すテキストが、１つながりのテキストとして表示されるように、前記複数の画像表示装置の内の２つ以上それぞれに対して、前記第２の画像それぞれを供給する（１）または（２）に記載の画像表示装置。
【００６３】
（４）前記第２の画像供給手段は、前記複数の画像表示装置の内の２つ以上の画面の所定の位置に、前記第２の画像が示すテキストが、１つながりのテキストとしてスクロール表示されるように、前記複数の画像表示装置の内の２つ以上それぞれに対して、前記第２の画像それぞれを供給する（１）または（２）に記載の画像表示装置。
【００６４】
【発明の効果】
以上説明したように、本発明にかかる画像表示装置によれば、複数の画面に画像を表示し、これら複数の画面に、ニュースのテロップなどの文字情報を、任意の態様で表示することができる。
【図面の簡単な説明】
【図１】（Ａ）〜（Ｄ）は、複数のディスプレイの画面に対して画像および文字を表示する方法を例示する図である。
【図２】本発明にかかる画像表示装置のハードウェア構成を例示する図である。
【図３】図２に示した画像表示装置が接続されるネットワークシステムの構成を例示する図である。
【図４】図２に示したディスプレイＩＦの構成を示す図である。
【図５】図４に示したディスプレイＩＦに供給される画像データを例示する図である。
【図６】図４に示したディスプレイＩＦに供給される文字データを例示する図である。
【図７】図２に示した画像表示装置本体により実行され、本発明にかかる画像表示を実現する表示プログラムの構成を示す図である。
【図８】図７に示した表示プログラムのＵＩ部がＵＩ装置（図２）のディスプレイに表示するＵＩ画像を例示する図である。
【図９】画像表示装置の全体的な動作（Ｓ１０）を示すフローチャートである。
【図１０】画像ＲＡＭ（図４）の記憶領域を示す図であって、（Ａ）は、画像データと文字列画像データが記憶される場合の記憶領域を示し、（Ｂ）は、画像データのみが記憶される場合の記憶領域を示す。
【符号の説明】
１・・・画像表示装置、
１０・・・画像表示装置本体、
１０２・・・ＣＰＵ、
１０４・・・メモリ、
１０６・・・画像メモリ、
１０８・・・Ｉ／Ｏポート、
１２・・・通信装置、
１４・・・記録装置、
１６・・・ＵＩ装置、
１８・・・表示部、
２２・・・ディスプレイＩＦ、
２２０・・・画像処理部、
２２２・・・画像表示部、
２４・・・画像ＲＡＭ、
３・・・表示プログラム、
３０・・・ＵＩ部、
３２０・・・通信制御部、
３２２・・・クロック部、
３４・・・画像データ処理部、
３４０・・・画像データ受入部、
３４２・・・画像データ編集部、
３４４・・・画像データ記憶部、
３４６・・・画像データ分配部、
３６・・・文字データ処理部、
３６０・・・文字データ受入部、
３６２・・・文字データ編集部、
３６４・・・文字データ記憶部、
３６６・・・文字データ分配部、
４・・・ネットワークシステム、
４０・・・ネットワーク、
４２・・・サーバ、
４４・・・ＵＩ画像、
【図１】
2004117472.tif 000003
【図２】
2004117472.tif 000004
【図３】
2004117472.tif 000005
【図４】
2004117472.tif 000006
【図５】
2004117472.tif 000007
【図６】
2004117472.tif 000008
【図７】
2004117472.tif 000009
【図８】
2004117472.tif 000010
【図９】
2004117472.tif 000011
【図１０】
2004117472.tif 000012